(57)【要約】      （修正有）【課題】嵩張らず販売時の梱包に便利であり、かつ、串を引抜くための差込片１の立ち上がり部に所定の角度が付与してあるので、串の引抜き動作が行い易い等の特徴を有する串もの取外し器を提供する。【解決手段】差込片１に対して所定角度傾斜して立ち上がり、先端部に二股状の串しごき部２を設けた着脱板３と、この着脱板３の前記差込片１が着脱自在に差し込まれる差込部４を有する支持基板５とを備えた。かかる串もの取外し器１０は、着脱板３と差込部４を有する支持基板５が別体であるために梱包時には重ね合わせて平らな状態とすることができ、このため嵩張らずコンパクトに梱包することができる。【選択図】図１
0003130374.tif 000002
【実用新案登録請求の範囲】
【請求項１】
差込片に対して所定角度傾斜して立ち上がり、先端部に二股状の串しごき部を設けた着脱板と、この着脱板の前記差込片が着脱自在に差し込まれる差込部を有する支持基板とを備えたことを特徴とする串もの取外し器。
【請求項２】
前記支持基板の中心部に枢着され回動可能に設けられた回動板を有し、この回動板に前記着脱板の差込片が差し込まれる差込部を設け、前記回動板を右回り又は左回りに１８０度回転させることにより右利き用又は左利き用に対応できるようにしたことを特徴とする串もの取外し器。
【請求項３】
前記着脱板の下部近傍に指置き用切欠部を設けたことを特徴とする請求項１に記載の串もの取外し器。
【考案の詳細な説明】
【技術分野】
【０００１】  本考案は、焼き鳥、団子等の串ものにおける可食部を容易に取り外すことができるようにした串もの取外し器に関するものである。
【背景技術】
【０００２】  従来、この種の串もの取外し器として例えば特開平１１−２８５４３５号公報（以下、特許文献１と記す。）に開示されたものがある。この特許文献１に記載されたものは、手で握る握り１の先端部に湾曲した板２を取り付け、この湾曲した板２の下中央部に串差込み口３を設けたものである。【０００３】  そして、上記の串抜き具を使用する場合は、握り１を手で握り、湾曲した板２の部分をやきとりの串後端部に宛がい、かつ、串を湾曲した板の串差込み口３に差し込んで串を引抜くことにより肉、野菜等が串からしごき落とされるようにして使用する。【０００４】
【特許文献１】  特開平１１−２８５４３５号
【考案の開示】
【考案が解決しようとする課題】
【０００５】
【０００６】  しかしながら、上記の特許文献１に記載のものは、確かにやきとりが串から取り外すことができるが、湾曲した板２と握り１とが一体的に連結され嵩張って販売時の梱包等に不便であること、使用後の洗浄等が行い難いなどの難点がある。
本考案は、上記の点に鑑みてなされたもので、嵩張らず販売時の梱包に便利であり、かつ、串を引抜くための差込片１の立ち上がり部に所定の角度が付与してあるので、串の引抜き動作が行い易い等の特徴を有する串もの取外し器を提供することを目的とする。
【課題を解決するための手段】
【０００７】  請求項１に記載の串もの取外し器は、差込片１に対して所定角度傾斜して立ち上がり、先端部に二股状の串しごき部を設けた着脱板３と、この着脱板３の前記差込片１が着脱自在に差し込まれる差込部４を有する支持基板５とを備えたことを特徴とするものである。【０００８】  上記の構成により焼き鳥、団子等の串ものの可食部を前記着脱板３の串しごき部に宛がい、串を引抜くことにより、前記串ものの可食部が皿等の容器に順次落下する。このため、串の尖った先端部で口元を怪我するおそれもなく、たれ、餡子等で口元がべと付くこともない。
さらに支持基板５と着脱板３とは分解可能であるため、販売時の梱包時、使用後の洗浄時等に便利であり、衛生面でも優れている。【０００９】  請求項２に記載の串もの取外し器は、前記支持基板５の中心部に枢着され回動可能に設けられた回動板６を有し、この回動板６に前記着脱板３の差込片１が差し込まれる差込部４を設け、前記回動板６を右回り又は左回りに１８０度回転させることにより右利き用又は左利き用に対応できるようにしたことを特徴とするものである。【００１０】  上記の構成により回動板６を右方向あるいは左方向に１８０度回転させれば、利き手側に即座に対応することが可能となり操作性に優れている。【００１１】  請求項３に記載の串もの取外し器は、前記着脱板３の下部近傍に指置き用切欠部７を設けたことを特徴とする。この構成により前記指置き用切欠部７で親指と人差し指を合わせて摘むことにより器具の支持が安定し、串に確実に引抜き力を加えることができる。
【考案の効果】
【００１２】  本考案は上記のように構成したので、概略次のような顕著な効果を奏する。
（１）所定角度傾斜した着脱板３の二股状の串しごき部２で串ものの可食部をしごき、容易かつ確実に串を引抜くことができるため、可食部に付着したたれ、餡子等で口元が汚れることがない。また、串の尖った先端部によって口元を怪我するおそれもなくなる。
（２）串もの取外し器の本体となる支持基板５と、これに差し込まれる着脱板３とが別部品となっているため、販売時の梱包に便利であるとともに、洗浄する場合に洗浄し易く衛生面でも優れている。
（３）回動板６を右方向あるいは左方向に１８０度回動させることにより利き手側に容易に対応することができ力が確実に加わり操作が安定する。
【考案を実施するための最良の形態】
【００１３】  本考案では、少なくとも支持基板５と、この支持基板５上に着脱自在に支持される先端部に二股状の串しごき部２を有する着脱板３とを備えた形態が最良であるが、支持基板５の形状や着脱板３の形状には特に限定されない。
以下の実施例では本考案の技術的思想を具体例に明らかにするために、いくつかの形態ないし構造について示すが、必ずしもかかる形態ないし構造に限定されるものではなく、本考案の技術的思想を逸脱しない限り種々の変更が可能である。
【実施例】
【００１４】  以下に、本考案の一実施例を図に基づき詳細に説明する。
図１は、串もの取外し器の全体を示す平面図であり、右利き用串もの取外し器の配置状態を示す。また、図２は、同じく串もの取外し器の全体を示す平面図であり、左利き用串もの取外し器の配置状態を示す。【００１５】  これらの図において、１０は串もの取外し器の全体を示す。この串もの取外し器１０は、着脱板３と、この着脱板３の差込片１が着脱自在に差し込まれる差込部４を有する支持基板５とを備えている。
また、上記のように支持基板５に直接、差込部４を設けずに、回動板６を支持基板５の略中心部に回転自在に枢着８し、その回動板６の円周部の一部に、前記差込部４を設けるようにしても良い。このように構成することにより、後述のように左利き用及び右利き用の串もの取外し器として使用できる。
また、上記の各構成部品は、ステンレス、プラスチック、ホーロー、陶器、メラミン、アクリル等のいずれの材質で形成しても良い。【００１６】  さらに、上記差込片１と着脱板３とのなす角度αは、図４に示すようにα＝９０〜１２０°の範囲、特に１８０°−α≒６０°程度に着脱板３が傾斜しているのが良い。このように構成することにより串に刺された肉、団子等の可食部を引抜き易くなる利点が生じる。【００１７】  また、前記着脱板３の下部近傍には板材を切り抜いて作られた指置き用切欠部７を設けている。さらにまた指置き用切欠部７の上方には、二股状に設けられた串しごき部２が設けられている。
なお、前記指置き用切欠部７の水平方向にも左右対称に水平指置き部７ａを設けることも可能である。【００１８】  上記回動板６は、図３の断面図に良く示されているように、支持基板５に対して回動可能なようにダボにより凹凸嵌合し、その中心部がカシメピンにより枢着８されている。【００１９】  次に、上記のように構成の串もの取外し器１０の使用方法を説明する。
まず、着脱板３の差込片１を支持基板５又は回動板６に設けた差込部４に差し込む。この時、差込部４と差込片１との寸法公差を所定の寸法公差としておくことにより、それらの嵌合状態を緩過ぎず、あるいは、きつ過ぎず、適当な嵌合状態に規制することができる。【００２０】  次いで、支持基板５の中心部に枢着８された回動板６を右方向、あるいは左方向に１８０度回転させることにより、右利き用の串もの取外し器１０として、若しくは左利き用の串もの取外し器１０として使用できるようになる。【００２１】  上記のように、着脱板３と支持基板５あるいは回動板６を一体的な組立体の串もの取外し器１０として整え、前記着脱板３に設けられた指置き用切欠部７に指を合わせ、焼き鳥、団子等の串ものの可食部を前記着脱板３の二股状の串しごき部２に宛い、串を引き抜くことにより、前記串ものの可食部が皿等の容器に順次落下する。このような行程を経ることによって串もの取外し器１０としての確実な機能を果たすものである。
【図面の簡単な説明】
【００２２】
【図１】左利き用串もの取外し器の全体を示す平面図である。
【図２】右利き用串もの取外し器の全体を示す平面図である。
【図３】串もの取外し器の要部断面図である。
【図４】上記串もの取外し器の左側面図である。
【図５】支持基板上に回動版を枢着した状態の平面図である。
【図６】着脱板の正面図である。
【符号の説明】
【００２３】１    差込片
２    二股状の串しごき部
３    着脱板
４    差込部
５    支持基板
６    回動板
７    指置き用切欠部
７ａ    水平指置き部
８    枢着
９    カシメピン
１０  串もの取外し器
【図１】
0003130374.tif 000003
【図２】
0003130374.tif 000004
【図３】
0003130374.tif 000005
【図４】
0003130374.tif 000006
【図５】
0003130374.tif 000007
【図６】
0003130374.tif 000008
【手続補正書】
【提出日】平成18年12月18日(2006.12.18)
【手続補正１】
【補正対象書類名】実用新案登録請求の範囲
【補正対象項目名】請求項２
【補正方法】変更
【補正の内容】
【請求項２】
前記支持基板の中心部に枢着され回動可能に設けられた回動板を有し、この回動板に前記着脱板の差込片が差し込まれる差込部を設け、前記回動板を右回り又は左回りに１８０度回転させることにより右利き用又は左利き用に対応できるようにしたことを特徴とする請求項１に記載の串もの取外し器。